(57)【特許請求の範囲】
【請求項１】
車両用照明具のための照明装置であって、
導電性のハウジング（２）を備え、その内部空間（３）には、少なくとも１つのＬＥＤ（６）を有している少なくとも１つの光源（６）と、少なくとも１つの前記光源（６）を作動させるための電磁放射を発する少なくとも１つの切換コンポーネント（７）とが配置されており、さらに前記切換コンポーネント（７）を覆うための導電性のカバー（８；１２，１３；１８，１９）を備えており、前記カバー（８；１２，１３；１８，１９）と前記ハウジングは互いに電気接続され、
前記カバー（８；１２，１３；１８，１９）は前記ＬＥＤから放出される光を案内するための光学素子を含み、
前記光学素子は、前記導電性のハウジングに接続された導電性リフレクタを含み、
前記リフレクタは、前記ハウジングの開口を覆い
前記リフレクタを通して、前記少なくとも１つのＬＥＤが挿入され、
前記電磁放射は１００ＫＨｚまたはそれ以上の周波数を有している、照明装置（１；１１；１７）。
【請求項２】
前記リフレクタは金属被覆を有している、請求項１に記載の照明装置（１）。
【請求項３】
前記リフレクタ（８）は金属で製作されている、請求項１または２に記載の照明装置（１）。
【請求項４】
前記リフレクタ（８）は前記ハウジング（２）で導電的に保持されている、請求項１〜３のいずれか１項に記載の照明装置（１）。
【請求項５】
前記リフレクタ（８）は導電性接着剤によって前記ハウジング（２）と結合されている、請求項１〜４のいずれか１項に記載の照明装置（１；１１；１７）。
【請求項６】
前記リフレクタは導電性の機械的な結合部材によって前記ハウジング（２）と結合されている、請求項１〜５のいずれか１項に記載の照明装置（１）。
【請求項７】
前記ハウジング（２）は金属で製作されている、請求項１〜６のいずれか１項に記載の
照明装置（１；１１；１７）。
【請求項８】
前記ハウジングは導電性プラスチックで製作されている、請求項１〜７のいずれか１項に記載の照明装置（１；１１；１７）。
【請求項９】
前記ハウジングは冷却体として構成されている、請求項１〜８のいずれか１項に記載の照明装置（１；１１；１７）。
【請求項１０】
電磁放射を発する少なくとも１つの前記切換コンポーネント（７）は電気引込線の電磁放射を低減するための少なくとも１つの電子フィルタ素子と接続されている、請求項１〜９のいずれか１項に記載の照明装置（１；１１；１７）。
【請求項１１】
電磁放射を発する少なくとも１つの前記切換コンポーネント（７）はスイッチング電源の少なくとも１つのコンポーネントを有している、請求項１に記載の照明装置（１；１１；１７）。
【請求項１２】
前記切換コンポーネント（７）は、スイッチ電源である、請求項１１に記載の照明装置（１；１１；１７）。
【請求項１３】
前記切換コンポーネント（７）は、ドライバ電子装置である、請求項１１に記載の照明装置（１；１１；１７）。
【請求項１４】
請求項１〜１３のいずれか１項に記載の照明装置（１；１１；１７）を備えている車両用照明具。
【発明の詳細な説明】
【技術分野】
【０００１】
本発明は、電磁放射を発するコンポーネントを備える特に発光ダイオード（ＬＥＤ）を用いた照明装置、ならびに車両用照明具に関する。
【背景技術】
【０００２】
ＬＥＤを作動させるためにスイッチング電源を利用すると、スイッチング電源は典型的には１００ＫＨｚを超える範囲の高周波電磁放射を発し、そのために、他の電子コンポーネントのＥＭＶ問題につながる恐れがある。このことは特に、多数の電子コンポーネントが狭い空間内に集まっている自動車の分野で問題となる。
【０００３】
スイッチング電源を原因とするＥＭＶへの影響を特に車両内で抑えるために、出力回線と入力回線のフィルタリングに加えて、完全に遮蔽された独立したハウジングの中でスイッチング電源を作動させるのが通常である。このことは高いコストがかかり、場所をとり、困難である。
【発明の概要】
【発明が解決しようとする課題】
【０００４】
したがって本発明の課題は、特に車両製造において特に発光ダイオードのために、とりわけ車両用ヘッドライトのために、コンパクトで重量とコストを削減するスイッチング電源のＥＭＶシールドのための手段を提供することである。
【課題を解決するための手段】
【０００５】
この課題は、請求項１に記載の照明装置によって解決され、および請求項２１に記載の車両用照明具によって解決される。好ましい実施形態は、特に従属請求項から読み取ることができる。
【０００６】
照明装置は少なくとも部分的に導電性のハウジングを有しており、その内部空間に少なくとも１つの光源、特にＬＥＤと、少なくとも１つの光源を作動させるための少なくとも１つの電磁放射を発する切換コンポーネントとが配置されている。さらに照明装置は、切換コンポーネントの少なくとも１つの部分を覆うための導電性のカバーを有しており、カバーとハウジングは互いに電気接続されている。
【０００７】
それによりカバーおよび通常はアースされるハウジングは、電磁放射を遮蔽するファラデーケージを形成する。ファラデーケージの内部空間は、切換コンポーネントを収容するためのシールドされた収容空間を形成する。ハウジングは、シールドされた収容空間を形成することができる範囲内でのみ導電性であればよい。
【０００８】
典型的には、ハウジングは開いた側を有することができ、この側を通じて、少なくとも１つの光源から放出される光が外部に向かって放射される。
【０００９】
光源を収容するハウジングを、放射性コンポーネントの格納のためにも利用することで、放射性コンポーネントをシールドするための隔絶された完全なハウジングを使わずにすませることができる。それによってコンパクトな寸法がもたらされ、ならびに、重量とコストの削減がもたらされる。
【００１０】
しかも、放射性コンポーネントが組み付けられる配線板を別個に施工する必要もなくなる。最低限の層数を備える片面の配線板を使用することが可能であり、このことは、たと
えば場合によっては同じくシールドに利用できると考えられる、アースプレートを備える多層の両面の配線板の使用に比べてコスト削減を可能にする。
【００１１】
この照明装置は、電磁放射が約１００ＫＨｚまたはそれ以上の周波数を有するコンポーネントの遮蔽をするのに格別に良く適している。
【００１２】
カバーは、少なくとも１つの光源から放出される光のビームガイドをするための光学素子を含んでいるのが好ましい。
【００１３】
光学素子はリフレクタを含んでいるのが好ましい。
その場合、リフレクタはたとえば非導電性の基本形状の上に金属被覆を有している。
【００１４】
あるいは、リフレクタはたとえば深絞り法で金属から製作されているのが好ましい場合もある。
【００１５】
リフレクタは、たとえば他の取付手段なしで、ハウジングに導電的に保持されているのが好ましい。
【００１６】
代替案として、リフレクタは導電性接着剤によってハウジングと結合されているのが好ましい。
【００１７】
代替または追加として、リフレクタはたとえば金属クリップのような導電性の機械結合部材によってハウジングと結合されているのが好ましい。
【００１８】
代替案として、光学素子がレンズを含んでいると好ましい場合がある。
光学素子は、光透過性で導電性のコーティングを有しているのが好ましく、このコーティングは特にハウジングと電気接続されているのが好ましい。
【００１９】
コーティングが導電性接着剤によってハウジングと電気接続されていると特別に好ましい。代替案として、これ以外のどのような適当な導電接続でも適用することができ、たとえばはんだ接続を適用することができる。
【００２０】
代替または追加として、カバーは光透過性でビームフォーミングをしない密閉部材、特に密閉ガラスを含んでいると好ましい場合がある。
【００２１】
その場合、密閉部材は、ハウジングと電気接続された光透過性で導電性のコーティングを有していると好ましく、特に、コーティングが導電性接着剤によってハウジングと電気接続されていると好ましい。
【００２２】
ハウジングが金属で製作されている照明装置が好ましい。
代替案として、導電性の特に金属被覆されたプラスチックでハウジングが製作されている照明装置が好ましい場合がある。
【００２３】
たとえば冷却用リブを設けることによって、あるいは冷却用リブなしで、ハウジングが冷却体として構成されている照明装置が特別に好ましい。
【００２４】
さらに、少なくとも１つの電磁放射を発する切換コンポーネントが、電気引込線の電磁放射を低減させるための少なくとも１つの電子フィルタ部材と接続されている照明装置が好ましい。
【００２５】
たとえばヘッドライト、ウィンカー、テールランプ、ブレーキランプ、サイドライト、ロービームなどとしての、車両におけるこのような照明装置の利用法が特に好ましい。
【００２６】
少なくとも１つのＬＥＤは単一のＬＥＤであってよく、または複数のＬＥＤを含むことができる。複数のＬＥＤは、ＬＥＤクラスタと呼ばれるグループとして配置されていてよい。特に、ＬＥＤクラスタは複数の異なる色のＬＥＤを有することができ、たとえばＲＧＢ，ＲＲＧＢ，ＲＧＧＢのような種類の白色の加法混色に適しているのが好ましい。ＬＥＤはスペクトル的に純粋に、または混合されて放射をすることができる。赤外光または紫外光を放射するＬＥＤも含まれる。たとえば青色光から黄色光への変換をするために、たとえば燐光体をベースとする波長変換をする材料を備えるＬＥＤも含まれる。
【００２７】
以下の実施例において本発明を模式的に詳しく説明する。ここでは、同じ符号は複数の図面を通じて同じ部材を表すか、または機能が同じ部材もしくは類似の部材を表すことができる。
【図面の簡単な説明】
【００２８】
【図１】第１の実施形態の照明装置を断面図として示す側面図である。
【図２】第２の実施形態の照明装置を断面図として示す側面図である。
【図３】第３の実施形態の照明装置を断面図として示す側面図である。
【発明を実施するための形態】
【００２９】
図１は、光学軸Ｏを中心として回転対称の導電性のハウジング２を備え、その内部空間３が片側の開口部４を有する照明装置１を示している。内部空間３の底面には、片側に実装された遮蔽をしない配線板５が取り付けられており、この配線板は上面にＬＥＤ６と、ＬＥＤ６を制御するためのスイッチング電源のコンポーネント７とが片側で実装されている。コンポーネント７は、ハウジング２によって案内される、図示しない供給配線によって供給を受ける。
【００３０】
開口部４の縁部には、中央の開口部（符号なし）を有する導電性のリフレクタ８が被されており、この開口部を通ってＬＥＤ６が案内されている。リフレクタ８により、ＬＥＤ６からリフレクタに向かって放射される光は、開口部４を通って光学軸Ｏに対して対称に外方に向かって放射される。リフレクタ８はスイッチング電源のコンポーネント７を覆っており、それにより、ハウジング２とともに当該コンポーネント７のための収容空間９を形成している。さらにリフレクタ８とハウジング２は、リフレクタ８とハウジング２の間の境界面１０にある導電性接着剤によって、相互に電気接続されている。
【００３１】
リフレクタ８とハウジング２の間の電気接続ないしアース接続により、電磁放射が収容空間９から外部へ、またはその内部へ入るのを妨げるファラデーケージが形成される。このとき、ＬＥＤ６を挿通するためにリフレクタ８にある中央の開口部は、スイッチング電源により生成される約≧１００ＫＨｚの典型的な周波数については無害である。
【００３２】
図示した例では、リフレクタ８は場合により防護層を備える金属でできており、深絞り法で製作されている。
【００３３】
代替案として、ハウジングは回転対称に施工されるのではなく長尺状に施工され、その場合、図１では長軸は紙面に対して鉛直に位置することになる。このようなケースは、特に、たとえば高いところに取り付けられるブレーキライトの長尺状のライトを構成するために、共通のリフレクタを有する複数のＬＥＤを横に並べるのに適している。
【００３４】
代替案として、リフレクタは、ハウジングと適当に接続された特に広い面積の金属被覆
を有しており、たとえばプラスチック本体に塗布されている。その場合、この金属被覆は光を反射させるためにも利用することができる。
【００３５】
ハウジングに対するリフレクタのアース接続として、場合によってはハウジングに対する機械的な保持だけで十分であり、すなわち粘着結合なしで十分である。代替または追加として、アース接続はたとえば金属からなる機械的なクランプ装置によって行われていてもよい。
【００３６】
図２は、図１の照明装置とは異なり、リフレクタに代えて、開口部４を覆い、透明で導電性のコーティング１３を有する投影レンズ１２が（二次）光学系として用いられる照明装置１１を示している。コーティング１３は導電性接着剤１４によってハウジングと結合されており、それにより、ハウジング２とレンズ１２ないしそのコーティング１３によってＥＭＶ遮蔽ないし収容空間１５の形成が行われる。コーティング１３はたとえばＩｎＯ：Ｓｎ、ＺｎＯ：ＡＩ、またはカーボンナノチューブを含むことができる。設計に応じて、導電性コーティング１３はレンズ１２の内面または外面に塗布されていてよい。これに加えて、ＬＥＤ６とレンズ１２との間には、ＬＥＤ６から発せられる光のビームフォーミングをするための一次光学系１６が配置されている。
【００３７】
この場合にもハウジングは回転対称に構成さている必要はなく、たとえば、特に複数のＬＥＤを用いる場合には長尺状に施工されていてもよい。
【００３８】
図３は、図２の実施形態とは異なり、レンズに代えて、主要な光学作用を有していない光透過性の密閉ガラス１８が設けられた照明装置１７を示している。密閉ガラス１８も透明で導電性のコーティング１９を有しており、このコーティングは、本例では導電性接着剤２０によってハウジングと結合されており、それにより、ハウジング２と密閉ガラス１８ないしそのコーティング１９によってＥＭＶ遮蔽ないし収容空間２１の形成が行われる。コーティング１９はたとえばＩｎＯ：Ｓｎ、ＺｎＯ：ＡＩ、またはカーボンナノチューブを含むことができる。設計に応じて、導電性コーティング１９は主要な光学作用を有さない密閉ガラス１８の内面または外面に塗布されていてよい。
【００３９】
照明装置（ＬＥＤモジュール）への電気引込線（図面なし）のＥＭＶに適った遮蔽のために、ドライバ電子装置７には、引込ケーブルの遮蔽を不要にする電子フィルタ素子が組み込まれている。そうでない場合、両端部で相応の対応プラグと導電接続される、シールドされた引込ケーブルを使用することも可能である。
【００４０】
当然ながら、本発明は前述した各実施例に限定されるものではない。たとえば内部空間の形状はさまざまな特徴を備えていてよく、たとえば断面は四角形でなく任意に成形されていてよい。
【００４１】
ハウジングが冷却体として施工されていてもよく、そのために、たとえば冷却用リブを有することができる。
【００４２】
ハウジングは、たとえばフルメタルに代えて、金属被覆または金属補強されたプラスチックや、その他の適当な導電性の材料もしくは複合材料でできていてもよい。
【００４３】
光学素子はリフレクタや投影レンズに限定されるものではなく、たとえばコリメータレンズやレンズアレイなど、あらゆる適当な光学素子を含むことができる。
【００４４】
さらに、単一のＬＥＤを光源として用いる必要があるわけでもなく、たとえばそれぞれの色が加法混色される、複数の異なる色のＬＥＤからなるＬＥＤクラスタを用いることも
できる。
【００４５】
一般に、本発明はＬＥＤだけに限定されるものではなく、制御のために放射性の部材を必要とするこれ以外の適当な光源、たとえばレーザダイオードなども含むことができる。
【００４６】
また、ＬＥＤの制御のために必要なのではなくそれ以外の目的のために必要な放射性の部材を、収容空間に格納することもできる。
【００４７】
本発明は車両製造での適用に限定されるものではなく、あらゆる適当な照明用途を含むことができる。
【符号の説明】
【００４８】
１  照明装置
２  ハウジング
３  内部空間
４  開口部
５  配線板
６  ＬＥＤ
７  スイッチング電源のコンポーネント
８  リフレクタ
９  収容空間
１０  境界面
１１  照明装置
１２  投影レンズ
１３  コーティング
１４  接着剤
１５  収容空間
１６  一次光学系
１７  照明装置
１８  密閉ガラス
１９  コーティング
２０  接着剤
２１  収容空間
Ｏ  光学軸
【図１】
0005416102.tif 000002
【図２】
0005416102.tif 000003
【図３】
0005416102.tif 000004